【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
男性のために意図された失禁パンツの如きパンツ形状吸収製品であって、前区域（１１）、後区域（８）、股区域（１２）、前区域及び後区域を横方向において接続することを意図されかつヒップ区域を含む側区域（９，１０）、弾性ウエスト領域及び製品使用時に少なくとも使用者の陰茎をカバーすることを意図される吸収要素（５）を含み、さらに製品装着時に少なくとも使用者から離れて面する側上で吸収要素をカバーすることを意図される液密外部層（３）を含むものにおいて、前区域が少なくとも一つの弾性部材（２０）を有し、その弾性部材は製品使用中、少なくとも製品のヒップ区域が使用者のウエストのまわりで適所に保持されるように配置されると同時に、前区域の中央領域における前区域の上部限界縁（１９）が使用者の陰茎の下に位置される位置に、前記弾性部材（２０）の作用とは逆に、製品の前区域（１１）を引き下げることができること、吸収要素（５）が一以上の変形領域（２１，２２）を伴って構成され、その変形領域は製品の前区域（１１）が引き下げられるときに製品使用中使用者の陰茎の上に位置される吸収要素（５）の部分を前区域の残りとともに降ろすことができること、及び製品の前区域が吸収要素（５）とともに弾性部材（２０）によってその元の使用位置に戻るように配置されることを特徴とする吸収製品。
【請求項２】
前記弾性部材（２０）がその作用範囲の全体にわたって、延伸時に本質的に一定の引張応力を有し、その引張応力が弾性ウエスト領域の引張応力と同じオーダの大きさであることを特徴とする請求項１に記載の吸収製品。
【請求項３】
弾性部材（２０）が弾性ウエスト領域の区域によって構成されることを特徴とする請求項１又は２に記載の吸収製品。
【請求項４】
前記区域が前記ヒップ区域の間で前区域（１１）上に延びることを特徴とする請求項３に記載の吸収製品。
【請求項５】
弾性ウエスト領域が製品の前区域（１１）、後区域（８）及び側区域（９，１０）の全体の上に延びること、及び弾性部材（２０）として作用する弾性ウエスト領域の前記区域が弾性ウエスト領域の残りより高い弾性伸張性を有することを特徴とする請求項４に記載の吸収製品。
【請求項６】
吸収要素（５）が吸収要素（５）の残りと比較すると変形可能な領域においてより薄く（３０）かつより可撓性の形状を持つことを特徴とする請求項１〜５のいずれかに記載の吸収製品。
【請求項７】
吸収要素（５）が吸収要素（５）のための折りたたみノッチの形の変形可能な領域（２１，２２）を含み、その折りたたみノッチに沿って製品は製品の前区域（１１）が引き下げられるときに曲げられることを特徴とする請求項１〜５のいずれかに記載の吸収製品。
【請求項８】
前記折りたたみノッチが吸収要素におけるくぼみ、貫通スロット又は圧縮線によって構成されることを特徴とする請求項７に記載の吸収製品。
【請求項９】
吸収要素（５）が異なる範囲の少なくとも二つの吸収体（３０，３１）によって構成されること、これらのうち一つだけ（３０）が変形領域中に延びること、及び変形領域中に延びる吸収体（５）が内部剛性をほとんど持たないか又は全く持たないことを特徴とする請求項１〜６のいずれかに記載の吸収製品。
【請求項１０】
製品の前区域（１１）がウエスト領域において、股領域から見ると前記ヒップ区域（４１，４２）の間に凹形のくぼみ（４０）を有し、それによって製品の前区域が製品使用中低いパンツカットを取得し、その低いパンツカットは直線カットと比較すると、前区域（１１）の中央領域における製品の上部限界縁（１９）が前記限界縁を使用者の陰茎の下の位置にもたらすために引き下げられることが必要である量を減らすことを特徴とする請求項１〜９のいずれかに記載の吸収製品。
【請求項１１】
製品のヒップ区域が摩擦部材を与えられ、その摩擦部材は製品の前区域が引き下げられるときに製品が全体として使用者上の適所に保持されることを助けるように配置されることを特徴とする請求項１〜１０のいずれかに記載の吸収製品。
【請求項１２】
前記弾性ウエスト領域が少なくとも部分的に弾性第一部分（１）から形成され、その弾性第一部分は伸張状態において本質的に矩形であり、かつ使用者の胴を部分的に包囲してパンツ状製品のヒップ区域（４１，４２）を含む、後区域（８）及び側区域（９，１０）を形成することを意図されること、製品中に含まれる第二部分（２）がパンツ状製品の前区域（１１）及び股区域（１２）を形成するように形作られること、前記第二部分（２）が二つの対向する端縁及び二つの対向する縦縁を伴って細長いこと、第二部分（２）の幅が少なくとも股区域（１２）において第一部分（１）の長さより小さいこと、第二部分（２）の縦方向が第一部分（１）の縦方向に垂直に配置され、かつ第一端区域（６）によって第一部分（１）の一つの縦縁区域（７）にこの中央で接続されること、第一部分（１）の一つの端区域（１３）が第二部分（２）の第一側縁区域（１４）に接続されること、及び第一部分の第二端区域（１５）が対応して第二部分（２）の第二側縁区域（１６）に接続され、吸収要素（５）がその全体を第二部分（２）上に適合されることを特徴とする請求項１〜１１のいずれかに記載の吸収製品。
【請求項１３】
前記第一部分（１）及び第二部分（２）の前記接続された側縁区域（１４，１６）及び端区域（１３，１５）が接続前、重なる配置で適合され、重なる区域の内側が重ねられた区域の外側に対して置かれることを特徴とする請求項１２に記載の吸収製品。
【請求項１４】
吸収要素（５）がその縦方向において股区域（１２）の全体にわたって、そして製品使用中第二部分の上部側縁の方向に前区域（１１）にわたってわずかに延びることを特徴とする請求項１〜１３のいずれかに記載の吸収製品。
【請求項１５】
前記弾性部材（２０）が弾性不織布又は弾性フィルムによって構成されることを特徴とする請求項１〜１４のいずれかに記載の吸収製品。
【請求項１６】
前記弾性部材（２０）が弾性テープ又は糸によって構成されることを特徴とする請求項１〜１５のいずれかに記載の吸収製品。
【請求項１７】
吸収製品が製品に含まれるパンツ内に適合されることを意図される脱着可能なインサートの形で吸収要素（５）を有するツーピース製品によって構成されること、インサートが固定部材を与えられた後部液密層（３５）を有し、固定部材によってインサートがパンツに脱着可能に錨止されること、及びインサートは製品の前区域が引き下げられるときに前記固定部材によってパンツに対して適所に保持されるように配置されることを特徴とする請求項１〜１６のいずれかに記載の吸収製品。
【請求項１８】
吸収要素（５）が多数の別個の吸収体（５５）によって構成され、その吸収体が横方向に互いに隣接して適合されかつ前区域（１１）から後区域（８）への方向で製品の縦方向に延び、そしてその吸収体が横方向の弾性体（６０）の作用とは逆に縦方向に及び横方向に分離可能であり、それによって別個の吸収体は製品の前区域が引き下げられるときに相互に変位されることができることを特徴とする請求項１に記載の吸収製品。
【手続補正２】
【補正対象書類名】明細書
【補正対象項目名】０００１
【補正方法】変更
【補正の内容】
【０００１】
本発明は男性のために意図された失禁パンツの如きパンツ形状吸収製品であって、前区域、後区域、股区域、前区域及び後区域を横方向において接続することを意図されかつヒップ区域を含む側区域、弾性ウエスト領域及び製品使用時に少なくとも使用者の陰茎をカバーすることを意図される吸収要素を含み、さらに製品装着時に少なくとも使用者から離れて面する側上で吸収要素を包囲することを意図される液密外部層を含むものに関する。
【手続補正３】
【補正対象書類名】明細書
【補正対象項目名】０００４
【補正方法】変更
【補正の内容】
【０００４】
使い捨てタイプのパンツ形状吸収製品に関する初期の特許公報はＧＢ  ２１１２２６７−Ａである。しかしながら、１９８３年からのこの公報は商業的製品にならなかった原始的なパンツを示す。１９９０年代まではパンツ状形状及び構成を有する吸収製品は商業的に成功しなかった。パンツ状製品は現在子供のおむつ及び大人のおむつの形で存在する。
【手続補正４】
【補正対象書類名】明細書
【補正対象項目名】０００５
【補正方法】変更
【補正の内容】
【０００５】
従来市場で入手可能なパンツ形状吸収製品は、原則として前区域及び後区域及び中間股区域を有し、前及び後区域が相互接続されている従来のおむつのように構成されていた。
【手続補正５】
【補正対象書類名】明細書
【補正対象項目名】０００６
【補正方法】変更
【補正の内容】
【０００６】
市場で入手可能な公知のパンツ形状吸収製品は女性に対しては満足に作用する。男性の失禁に関する限り、あらゆる点で満足のいくパンツ形状製品は今まで存在していない。
【手続補正６】
【補正対象書類名】明細書
【補正対象項目名】０００７
【補正方法】変更
【補正の内容】
【０００７】
動き関連の問題を全く持たない男性の失禁症患者に対する主要な問題は男性のための公衆トイレが小便便器を有すること及びこれらの使用が使用者に前あきを有するパンツを持つことを要求することである。男性が小便便器のトイレへの訪問と関連してパンツ形状製品の全体を引き下げることは当然不便であり、それによって彼のまわりの者に対して陰部をさらし当惑させてしまう。これの結果は相対的に小さな失禁問題であっても毎日の生活において男性にとって極めて当惑してしまうことである。スポーツアリーナ及び他の主要なイベントへの訪問は実際、失禁問題を有する男性にとってほとんど不可能である。子供がおむつ離れしなければならないときに使用されるいわゆる“トイレトレーニングパンツ”もまた、対応して小さな少年に対してある程度問題を示す。何年にもわたって、上述の問題に対して多数の解決策が提案されている。全てのこれらの提案された解決策に共通していることはおむつ又はトレーニングパンツが前あき開口として作用することを意図される、ある形の開口を与えられることである。
【手続補正７】
【補正対象書類名】明細書
【補正対象項目名】００２６
【補正方法】変更
【補正の内容】
【００２６】
後区域の全体も弾性であり、弾性側区域とともに単一の弾性連続第一部分を形成することによって、パンツは全体として体の動きに極めて良く応答する。局部的な乱れは連続弾性部分によって吸収され滑らかにされ、使用者の性器の前に直接位置される前区域及び股区域の弾性の劣る部分に伝わらない。従来のおむつ及び従来公知のパンツ形状の吸収製品と比較すると本発明による製品のこの例によれば、優れた適合性及び快適性が得られる。パンツ状衣料の大部分は全体に平坦なままである。必要とされる継目は前区域と第一部分の間の移行部及び股区域における第一部分と第二部分の間の移行部において適合される。これらの継目は製品使用中いかなる大きな圧力も受けない場所で終わり、現在入手可能な公知のパンツ形状吸収製品と比較するとパンツ状製品上の継目によって生じる摩擦及び圧力傷の危険が少ない。